(57)【特許請求の範囲】
【請求項１】
愛玩動物用の吸収性物品を複数収容する包装体において、
前記吸収性物品は、互いに直交する長手方向及び幅方向と、内面及びその反対側の外面とを有し、前記内面側に位置し、液透過性を有する表面シートと、前記外面側に位置し、不透液性を有する裏面シートと、前記表裏面シート間に介在された吸収体とを備える吸収シャーシと、着用時において前記吸収シャーシを着脱可能に止着するための係止手段とを含み、
前記吸収シャーシは、前記長手方向において離間して前記幅方向に延びる第１端縁及び第２端縁と、前記吸収体の位置する吸収域と、前記吸収域から前記第１端縁まで延びる第１非吸収域と、前記吸収域から前記第２端縁まで延びる第２非吸収域とを有しており、前記吸収域において前記幅方向へ延びる第１横折曲ラインに沿って前記第１非吸収域と前記第２非吸収域の前記内面が互いに当接するように折曲され、該折曲された状態において、前記第１非吸収域と前記第２非吸収域とが重なる積層部分において前記幅方向へ延びる第２横折曲ラインに沿って折曲され、
前記係止手段は、前記第１非吸収域における前記外面に配置され、前記吸収シャーシが、少なくとも前記第１及び第２横折曲ラインに沿って折曲された折曲状態において、前記第１非吸収域を除く前記吸収シャーシの前記外面に係脱可能に係止されて前記折曲状態を維持し、
前記吸収性物品は収容された状態において、前記係止手段を介して前記折曲状態が維持されており、前記係止手段が他の前記吸収性物品に係止されないことを特徴とする前記包装体。
【請求項２】
前記吸収シャーシは、前記幅方向において離間して前記長手方向に延びる一対の縦折曲ラインと、前記縦折曲ラインに沿って前記内面側へ折り曲げられた一対の折曲側部とを有し、少なくとも一方の折曲側部において、前記係止手段の一部が前記縦折曲ラインよりも前記幅方向の外側に延在しており、前記縦折曲ラインに沿って折曲された後に前記第１横折曲ラインに沿って折曲される請求項１に記載の包装体。
【請求項３】
前記一対の折曲側部のうち少なくとも一方の折曲側部は、前記長手方向Ｙにおける両端部のうちの少なくとも一方の端部における前記幅方向の寸法が、前記両端部の間に位置する中間部における前記幅方向の寸法よりも大きい請求項２に記載の包装体。
【請求項４】
前記係止手段の前記幅方向の寸法は、前記吸収体の前記幅方向の寸法よりも大きく、前記係止手段の前記長手方向の寸法は、前記係止手段から前記第１端縁までの間に位置する部分の前記長手方向の寸法よりも大きい請求項１〜３のいずれかに記載の包装体。
【請求項５】
前記吸収体の前記長手方向の寸法は、前記吸収シャーシの前記長手方向の寸法の５０％以下である請求項１〜４のいずれかに記載の包装体。
【発明の詳細な説明】
【技術分野】
【０００１】
本発明は、愛玩動物用の吸収性物品の包装体に関する。
【背景技術】
【０００２】
従来、折曲された状態で包装袋に収容される愛玩動物用の吸収性物品の包装体は公知である。例えば、特許文献１の愛玩動物用の吸収性物品の包装体は、吸収シャーシと、着用時において吸収シャーシを着脱可能に止着するための係止手段とを備える吸収性物品と、該吸収性物品を複数収容する包装袋とを含む。吸収シャーシは、内面側に位置する表面シートと、外面側に位置する裏面シートと、表裏面シートの間に介在された吸収体とを備え、係止手段は、裏面シートの外面側に配置されている。吸収性物品は、裏面シートが外側となるように二つ折りに折曲され、折曲状態にある複数の吸収性物品は、積層されて包装袋に収容される。
【先行技術文献】
【特許文献】
【０００３】
【特許文献１】特開２０１３−００００３５号公報
【発明の概要】
【発明が解決しようとする課題】
【０００４】
特許文献１における愛玩動物用の吸収性物品は、係止手段が吸収シャーシの外面に配置されているため、愛玩動物に着用させたときに、係止手段が愛玩動物の身体に接触して不快感を与えるおそれがない。
【０００５】
しかし、折曲状態において係止手段が吸収性物品の外側に露出するため、露出した係止手段に塵屑が付着して係止強度が低下してしまったり、包装袋に収容した状態において、隣り合う吸収性物品が係止手段によって互いに係止されてしまったりし、吸収性物品を個々に取り出すことが困難になる。
【０００６】
そこで、本発明の課題は、従来の技術の改良であって、折曲状態において係止手段が露出することのない愛玩動物用の吸収性物品の包装体の提供に関する。
【課題を解決するための手段】
【０００９】
上記課題を達成するために、本発明が対象とするのは、愛玩動物用の吸収性物品を複数収容する包装体である。
【００１０】
本発明は、上記包装体において、前記吸収性物品は、互いに直交する長手方向及び幅方向と、内面及びその反対側の外面とを有し、前記内面側に位置し、液透過性を有する表面シートと、前記外面側に位置し、不透液性を有する裏面シートと、前記表裏面シート間に介在された吸収体とを備える吸収シャーシと、着用時において前記吸収シャーシを着脱可能に止着するための係止手段とを含み、前記吸収シャーシは、前記長手方向において離間して前記幅方向に延びる第１端縁及び第２端縁と、前記吸収体の位置する吸収域と、前記吸収域から前記第１端縁まで延びる第１非吸収域と、前記吸収域から前記第２端縁まで延びる第２非吸収域とを有しており、前記吸収域において前記幅方向へ延びる第１横折曲ラインに沿って前記第１非吸収域と前記第２非吸収域の前記内面が互いに当接するように折曲され、該折曲された状態において、前記第１非吸収域と前記第２非吸収域とが重なる積層部分において前記幅方向へ延びる第２横折曲ラインに沿って折曲され、前記係止手段は、前記第１非吸収域における前記外面に配置され、前記吸収シャーシが、少なくとも前記第１及び第２横折曲ラインに沿って折曲された折曲状態において、前記第１非吸収域を除く前記吸収シャーシの前記外面に係脱可能に係止されて前記折曲状態を維持し、前記吸収性物品は収容された状態において、前記係止手段を介して前記折曲状態が維持されており、前記係止手段が他の前記吸収性物品に係止されないことを特徴とする。
【発明の効果】
【００１２】
本発明に係る包装体の一つ以上の実施形態によれば、吸収シャーシが、吸収域において幅方向へ延びる第１横折曲ラインに沿って第１非吸収域と第２非吸収域の内面が互いに当接するように折曲され、該折曲された状態において、第１非吸収域と第２非吸収域とが重なる積層部分において幅方向へ延びる第２横折曲ラインに沿って折曲され、吸収性物品は、係止手段を介して第１及び第２横折曲ラインによる折曲状態が維持されており、係止手段が他の吸収性物品に係止されないため、折曲状態において係止手段が露出することなく、吸収性物品を包装袋から個々に取り出すことが容易である。
【図面の簡単な説明】
【００１３】
図面は、本発明の特定の実施の形態を示し、発明の不可欠な構成ばかりでなく、選択的及び好ましい実施の形態を含む。
【図１】本発明に係る吸収性物品の一例として示す、折曲された状態のおむつの斜視図。
【図２】吸収性物品の展開斜視図。
【図３】吸収性物品を内面側から視た展開平面図。
【図４】吸収性物品を外面側から視た展開平面図。
【図５】図３のＶ−Ｖ線に沿う模式的断面図。
【図６】図３のＶＩ−ＶＩ線に沿う模式的断面図。
【図７】おむつの装着状態を例示する図。
【図８】（ａ）〜（ｄ）：おむつの折曲方法の一例示す説明図。
【図９】図８のＩＸ部位の拡大図。
【図１０】図１のＸ−Ｘ線に沿う模式的断面図。
【図１１】本発明に係る包装体の一例として示す、複数のおむつが収容された包装体の斜視図。
【図１２】（ａ）〜（ｄ）：おむつの折曲方法の他の例を示す説明図。
【図１３】（ａ）〜（ｄ）：おむつの折曲方法の更に他の例を示す説明図。
【発明を実施するための形態】
【００１４】
下記の実施形態は、図１〜１３に示す愛玩動物用の吸収性物品およびその包装体に関し、発明の不可欠な構成ばかりではなく、選択的及び好ましい構成を含む。図２及び３において、後述する各弾性体は、その収縮力に抗して、長手方向Ｙへの収縮力によって各弾性体が取り付けられた部材に生じたギャザーが自然な視覚によって実質的に無くなっているように見える程度にまで伸長された状態にある。
【００１５】
図１〜６を参照すると、本発明に係る愛玩動物用の吸収性物品の一例である愛玩動物用のおむつ１０は、互いに直交する長手方向Ｙ及び幅方向Ｘと、幅方向Ｘの長さ寸法を二等分する縦軸Ｐと、長手方向Ｙの長さ寸法を二等分する横軸Ｑと、愛玩用動物の身体と対向する内面及びその反対側の外面とを有するとともに、長手方向Ｙに延びる第１及び第２縦折曲ライン（一対の縦折曲ライン）４１，４２と、幅方向Ｘに延びる第１及び第２横折曲ライン４３，４４とを有する。おむつ１０は、外形を形成する吸収シャーシ１１と、吸収シャーシ１１の外面に配置され、着用時において吸収シャーシ１１を着脱可能に止着するための係止手段１２とを含む。
【００１６】
吸収シャーシ１１は、長手方向Ｙにおいて離間し幅方向Ｘに延びる第１端縁１３及び第２端縁１４と、幅方向Ｘにおいて離間し長手方向Ｙに延びる第１側縁１５及び第２側縁１６とを有し、内面側に位置する透液性に表面シート３１と、外面側に位置する不透液性の裏面シート３２と、表裏面シート３１，３２の間に位置する吸収体３３と、吸収体３３と裏面シート３２との間に位置する難透液性又は不透液性の防漏シート３４とを含み、表面シート３１の内面側には、幅方向Ｘに離間して長手方向Ｙに延びるバリアカフシート３５が配置される。吸収シャーシ１１は、さらに、長手方向Ｙにおいて吸収体３３が位置する吸収域２１と、吸収域２１から第１端縁１３まで延びる第１非吸収域２２と、吸収域２１から第２端縁１４まで延びる第２非吸収域２３とを有するとともに、第１及び第２縦折曲ラインに沿って内面側へ折り曲げられる第１及び第２折曲側部（一対の折曲側部）６１，６２と、第１及び第２折曲側部６１，６２間に位置する中央部６３とを有する。第１横折曲ライン４３は吸収域２１に重なり、第２横折曲ライン４４は第１非吸収域２２及び／又は第２非吸収域２３に重なる。
【００１７】
第１及び第２折曲側部６１，６２は、幅方向Ｘにおいて互いに離間し、第１折曲側部６１は、第１側縁１５側に位置し、第２折曲側部６２は、第２側縁１６側に位置する。第１折曲側部６１は、長手方向Ｙにおいて離間する第１端部６１Ａ及び第２端部６１Ｂ（長手方向Ｙにおける両端部）と、第１及び第２端部６１Ａ，６１Ｂの間に位置する中間部６１Ｃとを有し、第２折曲側部６２は、長手方向Ｙにおいて離間する第１端部６２Ａ及び第２端部６２Ｂ（長手方向Ｙにおける両端部）と、第１及び第２端部６２Ａ，６２Ｂの間に位置する中間部６２Ｃとを有する。第１及び第２折曲側部６１，６２の中間部６１Ｃ，６２Ｃは、吸収域２１において吸収体３３の幅方向Ｘ外側に位置する。
【００１８】
表面シート３１は、吸収体３３の内面の全体を覆っており、矩形状に形成され、係止手段１２と係脱可能な透液性の繊維不織布から形成される。表面シート３１としては、例えば、親水性スパンボンド繊維不織布、ポイントボンド繊維不織布又はエアスルー不織布等の各種公知の繊維不織布を用いることができる。
【００１９】
裏面シート３２は、吸収シャーシ１１の外形を形成しており、矩形状に形成され、不透液性の繊維不織布、プラスチックフィルム又はそれらのラミネートシートから形成されており、繊維不織布から形成される場合には、例えば、スパンボンド・メルトブローン・スパンボンド（ＳＭＳ）繊維不織布又はスパンボンド繊維不織布を用いることができる。表裏面シート３１，３２は長手方向Ｙにおける寸法がほぼ等しく、表面シート３１の幅方向Ｘにおける寸法は裏面シート３２の幅方向Ｘにおける寸法（すなわち、おむつ１０の幅方向Ｘにおける寸法Ｗ１）よりも小さい。
【００２０】
吸収体３３は、吸収性の芯材と、芯材を覆うティッシュペーパ等の液拡散性の被覆シートによって形成される。芯材としては、木材フラッフパルプ、高吸収性ポリマー粒子、又はこれらの混合物を所要の形状に賦型したものを用いることができる。本実施形態において吸収体３３は、長手方向Ｙに延びる矩形形状に形成されているが、他の形状、例えば、長手方向Ｙの中央において幅方向Ｘの寸法が大きく形成されてもよい。
【００２１】
図５を参照すると、防漏シート３４は、吸収体３３の被覆シートと裏面シート３２との間に配置され、吸収体３３の外面の全体を覆っている。防漏シート３４としては、難透液性、好ましくは、不透液性かつ通気性のプラスチックを用いることができる。防漏シート３４の長手方向Ｙにおける寸法は、裏面シート３２のそれとほぼ等しく、幅方向Ｘにおける寸法は、表面シート３１のそれよりも大きく、裏面シート３２のそれよりも小さい。
【００２２】
バリアカフシート３５は、第１側縁１５側に位置する第１バリアカフシート３６と、第２側縁１６側に位置する第２バリアカフシート３７とを含む。第１及び第２バリアカフシート３６，３７としては、例えば、疎水性のＳＭＳ繊維不織布又はスパンボンド繊維不織布を用いることができる。第１及び第２バリアカフシート３６，３７は、それぞれ、長手向Ｙへ延びる固定側部（近位部）５１と、固定側部５１から幅方向Ｘの内側に位置するスリーブ状の自由側縁部（遠位縁部）５２とを有し、第１バリアカフシート３６は、更に長手方向Ｙの両端部に位置する第１固定端部５３及び第２固定端部５４とを有する。固定側部５１、第１及び第２固定端部５３，５４においてバリアカフシート３５は各シートと接合される。
【００２３】
自由側縁部５２内には、ストリング状又はストランド状の弾性部材からなり、長手向Ｙへ延びる少なくとも一条のカフ弾性体５５が伸長状態で収縮可能に取り付けられる。着用状態において、カフ弾性体５５が収縮することによって、自由側縁部５２が表面シート３１から愛玩用動物の身体側へ離間し、体液の漏れを防止するための防漏カフが形成される。図５及び図６の断面図では、バリアカフシート３５の自由側縁部５２が起立した状態を示している。本実施形態においてカフ弾性体５５の長手方向Ｙにおける両端縁は、第１及び第２端縁１３，１４と離間している。固定側部５１において、バリアカフシート３５と裏面シート３２との間には、ストリング状又はストランド状の弾性部材からなり、長手方向Ｙへ延びる少なくとも一条のサイド弾性体５６が、伸長状態で収縮可能に取り付けられている。サイド弾性体５６は、第１端縁１３から第２端縁１４に亘ってサイド弾性体５６の収縮力が作用するように第１端縁１３から第２端縁１４まで延びていることが好ましい。吸収シャーシ１１における各シートの接合には、図示しないホットメルト等の公知の接合手段を用いることができる。
【００２４】
図６を参照すると、係止手段１２は、第１非吸収域２２において裏面シート３２の外面に配置され、第１及び第２縦折曲ライン４１，４２と交差して幅方向Ｘに延びており、第１及び第２折曲側部６１，６２に位置する両端部１２Ａ，１２Ｂと、両端部１２Ａ，１２Ｂの間に位置する中間部１２Ｃとを有する。係止手段１２は、平面視において第１及び第２バリアカフシート３６，３７と重なっている。係止手段１２は、裏面シート３２に接合される基材シートと、基材シートから起立する複数のフック要素とを含み、フック要素は、表裏面シート３１，３２と係脱可能に構成される。係止手段１２の材料としては、例えば、ポリエチレン、ポリプロピレン等のオレフィン系の材料や、ポリエステル系の材料等を用いることができる。係止手段１２と裏面シート３２との接合には、図示しないホットメルト等の公知の接合手段を用いることができる。
【００２５】
吸収体３３の長手方向Ｙにおける寸法Ｌ２は、おむつ１０の長手方向Ｙにおける寸法（すなわち、吸収シャーシ１１の長手方向Ｙにおける寸法）Ｌ１の約２０〜７５％であることが好ましく、寸法Ｌ１の約５０％以下であることがより好ましい。第１非吸収域２２と第２非吸収域２３の長手方向Ｙにおける寸法は、ほぼ等しい。吸収体３３の寸法Ｌ２をおむつ１０の寸法Ｌ１の５０％以下とすることで、吸収体３３による嵩張りを抑えておむつ１０をコンパクトに折曲することができる。
【００２６】
係止手段１２の長手方向Ｙにおける寸法Ｌ３は、第１端縁１３から係止手段１２の第１端縁１３側の端縁までの間に位置する部分（以下、非係止部分という）の長手方向Ｙにおける寸法Ｌ４よりも大きいことが好ましい。係止手段１２の幅方向Ｘにおける寸法Ｗ３は、吸収体３３の幅方向Ｘにおける寸法Ｗ２よりも大きく、吸収域２１における第１及び第２縦折曲ライン４１，４２間の寸法Ｗ４よりも大きいことが好ましく、おむつ１０の幅方向Ｘにおける寸法Ｗ１の約５０〜９０％であることが好ましい。係止手段１２と第１端縁１３との間に非係止部分を設けることで、該非係止部分を指で摘まんで係止手段１２による係合を解除しやすくすることができる。また、係止手段１２の寸法Ｌ３を非係止部分の寸法Ｌ４よりも大きくすることで、非係止部分の捲れにともなって係止手段１２による係合が解除されることを防止できる。
【００２７】
図７を参照すると、おむつ１０は、表面シート３１を身体側に対向させ、第１バリアカフシート３６を頭部側、第２バリアカフシート３７を尻部側にし、吸収域２１を腹側、第１及び第２非吸収域２２，２３を背側に配置した状態で愛玩動物の胴周りに装着され、第１非吸収域２２の外面に配置された係止手段１２を第２非吸収域２３の内面（表面シート３１）に止着して使用される。
【００２８】
係止手段１２の幅方向Ｘにおける寸法Ｗ３をおむつ１０の幅方向Ｘにおける寸法Ｗ１の約５０％以上とすることで、愛玩動物の胴周り寸法が頭部から尻部へ向かって大きく変化する場合であっても、着用時の位置ずれを防止し、フィット性を高めて漏れを確実に防止することができる。また、第２バリアカフシート３７は長手方向Ｙの両端部が固定されていないため、第１バリアカフシート３６を頭部側、第２バリアカフシート３７を尻部側に配置することで、雄用のおむつ１０として使用する場合に、第２バリアカフシート３７の自由側縁部５２を尻部側に倒して男性器を第１及び第２バリアカフシート３６，３７の間に位置させることが容易になる。更に、第１バリアカフシート３６は第１及び第２固定端部５３，５４によって両端部が固定されているため、頭部側に倒れにくくなり、尿漏れを確実に防止することができる。
【００２９】
＜おむつの折曲方法＞
図８（ａ）〜（ｄ）を参照して、おむつ１０の折曲方法の一例を説明する。まず、図８（ａ）及び（ｂ）を参照すると、おむつ１０が展開された状態から第１及び第２縦折曲ライン４１，４２に沿って第１及び第２折曲側部６１，６２を内面側へ折り曲げる。次に、図８（ｃ）を参照すると、第１非吸収域２２の内面と第２非吸収域２３の内面とが対向するように、吸収域２１に位置する第１横折曲ライン４３に沿って更におむつ１０を折り曲げる。このように折曲することによって、係止手段１２の両端部１２Ａ，１２Ｂは、それらと対向する第１及び第２折曲側部６１，６２の第２端部６１Ｂ，６２Ｂの裏面シート３２に係止される。本実施の形態において、第１横折曲ライン４３は横軸Ｑに重なっているが、吸収域２１に位置していればよく、横軸Ｑよりも第１非吸収域２２側又は第２非吸収域２３側に位置してもよい。また、第１及び第２縦折曲ライン４１，４２は、第１及び第２非吸収域２２，２３において長手方向Ｙに平行に延びていてもよい。
【００３０】
次に、図８（ｃ），（ｄ）に示すとおり、第１及び第２非吸収域２２，２３が重なる第１積層部分８１において、第１非吸収域２２が内側に位置し、第２非吸収域２３が外側に位置するように第２横折曲ライン４４に沿っておむつ１０を更に折曲し、吸収体３３が折り重なる第２積層部分８２に第１積層部分８１を積層する。おむつ１０をこのように折曲することによって、第１横折曲ライン４３によって２つ折りにされた吸収域２１に、第１及び第２非吸収域２２，２３が積層され、係止手段１２の中間部１２Ｃは、それと対向する吸収域２１の裏面シート３２に係止される。かかる折曲方法によれば、第１及び第２非吸収域２２，２３は、係止手段１２に両端部１２Ａ，１２Ｂによって互いに係止されているため、第２横折曲ライン４４に沿って折曲する際にずれが生じることを防止できる。第２横折曲ライン４４は、平面視において、少なくとも第１非吸収域２２又は第２非吸収域２３のいずれか一方に重なっていればよいが、第１非吸収域２２及び第２非吸収域２３が重なる第１積層部分８１において吸収体３３と近接する位置に形成されることが好ましい。
【００３１】
図４を参照すると、本実施形態において、第１折曲側部６１の第１及び第２端部６１Ａ，６１Ｂの幅寸法（幅方向Ｘにおける寸法）ｄ１，ｄ２は、中間部６１Ｃの幅寸法ｄ３よりも大きく、第２折曲側部６２の第１及び第２端部６２Ａ，６２Ｂの幅寸法ｄ４，ｄ５は、中間部６２Ｃの幅寸法ｄ６よりも大きい。ここで、幅寸法とは、図３及び４に示すおむつ１０を展開した状態の平面視において、幅方向Ｘにおける最大寸法をいう。具体的には、第１及び第２縦折曲ライン４１，４２は、吸収体３３の幅方向Ｘ外側において長手方向Ｙに沿って直線状に延びており、第１及び第２非吸収域２２，２３では、縦軸Ｐ向かって傾斜している。第１折曲側部６１において第１及び第２端部６１Ａ，６１Ｂの幅寸法ｄ１，ｄ２は、ほぼ等しく、第２折曲側部６２において第１及び第２端部６２Ａ，６２Ｂの幅寸法ｄ４，ｄ５は、ほぼ等しいことが好ましい。第１及び第２非吸収域２２，２３において、第１及び第２縦折曲ライン４１，４２は直線状であってもよく、湾曲状であってもよい。湾曲状にすることで、折り癖を付き難くすくことができ、装着時に第１及び第２非吸収域２２，２３が第１及び第２縦折曲ライン４１，４２に沿って折曲されることを防止し、係止手段１２の両端部１２Ａ，１２Ｂを第２非吸収域２３の内面に止着しやすくすることができる。
【００３２】
図９は、図８のＩＸ部位の拡大図である。係止手段１２は第１及び第２縦折曲ライン４１，４２を越えて幅方向Ｘへ延在しているので、係止手段１２の両端部１２Ａ，１２Ｂは、平面視において係止手段１２の中央部１２Ｃと折り重ねられる。係止手段１２の両端部１２Ａ，１２Ｂの長手方向Ｙにおける寸法ｔ１，ｔ２は、それぞれ、係止手段１２の長手方向Ｙの寸法Ｌ３以上であることが好ましい。ここで、両端部１２Ａ，１２Ｂの長手方向Ｙにおける寸法ｔ１，ｔ２とは、各端部１２Ａ，１２Ｂの長手方向Ｙにおける両端縁の間の距離をいう。記述のとおり、サイド弾性体５６は、第１及び第２端縁１３，１４まで延びていることが好ましく、かかる構成により、第１及び第２端部６１Ａ，６２Ａ，６１Ｂ，６２Ｂにサイド弾性体５６の収縮力が作用し、第１及び第２縦折曲ライン４１，４２による折曲状態が維持されやすくなる。
【００３３】
図１及び図１０を参照すると、折曲された状態のおむつ１０は、第１外面７１と、その反対側の第２外面７２とを有し、第１外面７１は、第２非吸収域２３及び吸収域２１の裏面シート３２によって形成され、第２外面７２は、吸収域２１の裏面シート３２によって形成される。第１非吸収域２２と第２非吸収域２３とは、係止手段１２の両端部１２Ａ，１２Ｂによって係止され、第１非吸収域２２と吸収域２１とは、係止手段１２の中間部１２Ｃによって係止される。係止手段１２は、幅方向Ｘの寸法Ｗ３が吸収域２１における第１及び第２折曲ライン間の寸法Ｗ４よりも大きく、第１及び第２縦折曲ライン４１，４２は、第１及び第２非吸収域２２，２３において縦軸Ｐに向かって傾斜しているため、係止手段１２の両端部１２Ａ，１２Ｂによって第１非吸収域２２と第２非吸収域２３とを係合する領域が比較的に大きくなり、第１及び第２非吸収域を高い係止強度で係止することができる。かかるおむつ１０では、係止手段１２が第１非吸収域２２を除く領域の裏面シート３２に係止されて折曲状態が維持されており、係止手段１２が露出していないため、係止手段１２に塵屑が付着して係止強度が低下することを防止できる。
【００３４】
図１１は、折曲状態にある複数のおむつ１０が収容された包装体１８を示す斜視図である。包装体１８は、複数のおむつ１０と、該おむつ１０を収容する包装袋１９とを含み、包装袋１９は、ミシン目が形成された開封部７６を有する。複数のおむつ１０は、隣り合うおむつ１０において、一方のおむつ１０の第１外面７１と、他方のおむつ１０の第２外面７２とが対向し、各おむつ１０の第１端縁１３が、一方向を向くように積層される。なお、複数のおむつ１０の積層状態はこれに限られず、例えば、隣り合うおむつ１０において、第１外面７１又は第２外面７２が互いに対向するように積層されてもよく、第１端縁１３が多方向に向くようにそれぞれ積層されてもよい。
【００３５】
従来の包装体のように、複数のおむつを係止手段が第１又は第２外面に露出した状態で積層する場合、包装袋に収容する前の整列状態において、おむつの係止手段が不要に他のおむつの裏面シートに係止してしまい、複数のおむつの整列を妨げたり、皺や破れが生じる原因となったりするおそれがある。また、包装袋からおむつを個々に取り出す際には、係止手段が隣接するおむつの裏面シートに係止しているため、個々におむつを取り出し難く、取り出した後は、係止手段が他の繊維製の物品に係止してしまうおそれがある。一方、本発明のおむつ１０及びその包装体１８では、係止手段１２が露出しておらず、かつ、係止手段１２によって個々のおむつ１０の折曲状態が保持されるため、整列が容易であり、皺や破れの発生を防止することができる。また、隣接するおむつ１０が係止手段１２によって係止されないため、包装袋１９からおむつ１０を個々に取り出しやすく、おむつ１０の折曲状態を維持したまま包装袋１９からおむつ１０を個々に取り出すことができるため、携帯性に優れている。また、係止手段１２が露出していないため、包装袋１９からおむつ１０を取り出す際に、指が係止手段１２に触れて不快感を覚えるおそれがなく、取り出した後、係止手段１２が他の繊維製の物品に係止してしまうおそれがない。また、第２横折曲ライン４３が、第１及び第２非吸収域２２，２３が重なる第１積層部分８１に位置することによって、吸収体３３が二層に重なる第２積層部分８２には、吸収体３３が存在しない第１積層部分８１のみが重なり、吸収体３３が三層以上に積層されることがないため、折曲状態におけるおむつ１０の厚さを比較的に薄くして、包装袋１９に収容するおむつ１０の数を多くすることができる。
【００３６】
図１２は、おむつ１０の他の折曲方法の一例を示す説明図であり、図１２（ａ），（ｂ），（ｄ）はおむつ１０の平面図であり、図１２（ｃ）はおむつ１０の模式的断面図である。図１２（ａ），（ｂ）を参照すると、おむつ１０は、第１及び第２縦折曲ライン４１，４２に沿って折曲された後、吸収域２１に位置する第１横折曲ライン４３に沿って折曲される。次に、図１２（ｃ），（ｄ）に示すように、第１非吸収域２２の裏面シート３２が内側に位置し、第２非吸収域２３の裏面シート３２が外側に位置するようにして、吸収体３３が重なる第２積層部分８２を係止手段１２が位置する第１積層部分８１側（つまり、第１横折曲ライン４３側から第１及び第２端縁１３，１４側）へ丸めるようにして折り曲げる。かかる折曲方法によって、折曲状態において、係止手段１２の両端部１２Ａ，１２Ｂは、第１及び第２折曲側部６１，６２の第２端部６１Ｂ，６２Ｂにそれぞれ係止され、係止手段１２の中間部１２Ｃは、吸収域２１又は第２非吸収域２３の裏面シート３２に係止される。かかる折曲方法によっても、折曲状態において係止手段１２が露出しないので既述の効果を奏するとともに、おむつ１０をよりコンパクトに折り畳むことができる。また、おむつ１０がロール状に折り曲げられることによって、折曲ラインによる折り癖が付き難くなる。
【００３７】
図１３は、おむつ１０の更に他の折曲方法の一例を示す説明図である。図１３（ａ），（ｂ）を参照すると、おむつ１０は、第１及び第２縦折曲ライン４１，４２に沿って折曲された後、吸収域２１に位置する第１横折曲ライン４３に沿って折曲される。次に、図１３（ｂ）〜（ｄ）に示すとおり、第１及び第２非吸収域２２，２３が積層された第１積層部分８１に位置する複数の第２横折曲ライン４４に沿って折曲される。具体的には、第２横折曲ライン４４は、第１ライン４５と第２ライン４６とを含み、第１ライン４５は、係止手段１２に近接し、かつ、係止手段１２よりも第２積層部分８２側に位置し、第２ライン４６は、第１ライン４５と第２積層部分８２との間に位置しており、吸収体３３に近接することが好ましい。おむつ１０は、第２非吸収域２３が内側になり、第１非吸収域２２が外側になるように第１ライン４５に沿って折曲された後、第２非吸収域２３及び係止手段１２の中間部１２Ｃが内側になるように第２ライン４６に沿って折曲され、係止手段１２の中間部１２Ｃが吸収域２１の裏面シート３２に係止される。
【００３８】
かかるおむつ１０の折曲形態によれば、既述の折曲形態に比べて、より強固に折曲された状態を維持することができる。既述のおむつ１０の折曲形態では、第１外面７１の一部を形成する第２非吸収域２３の裏面シート３２が、中間部１２Ｃに比して係合力が弱い係止手段１２の両端部１２Ａ，１２Ｂによって係止されているが、本折曲方法によるおむつ１０では、第１外面７３の一部を形成する第１非吸収域２２が、係合力の高い係止手段１２の中間部１２Ｃによって吸収域２１の裏面シート３２に係止されているため、係合が解除されにくく、折曲状態をより強固に維持することができる。これにより、おむつ１０を個別に持ち運ぶ際に生じる第１及び第２非吸収域２２，２３の捲れをより抑えることができ、携帯性に優れている。
【００３９】
おむつ１０の折曲方法は、本明細書において例示したものに限らないが、本実施形態に係る発明の効果を奏するために、係止手段１２は、第１及び第２縦折曲ライン４１，４２を越えて幅方向Ｘに延在していればよい。また、本実施形態において、第１及び第２折曲側部６１，６２は、ほぼ同形同大に形成されているが、幅寸法が互いに異なっていてもよく、例えば、第１折曲側部６１の幅寸法が一定となるように、第１縦折曲ライン４１が長手方向Ｙに平行に延びており、第２折曲側部６２の幅寸法が第１及び第２端部６２Ａ，６２Ｂで大きくなるように、第２縦折曲ライン４２が第１及び第２非吸収域２２，２３で縦軸Ｐに向かって傾斜していてもよい。また、第１及び第２折曲側部６１，６２のうちの少なくとも一方の折曲側部において、第１及び第２端部のうちの少なくとも一方の端部における幅寸法が中間部における幅寸法よりも大きく形成されていればよい。本発明に係るおむつ１０では、係止手段１２が折曲状態における外面に露出することなく、係止手段１２によって折曲状態を維持できればよく、例えば、吸収域２１において幅方向Ｘに延びる複数の横折曲ラインに沿って折曲されてもよい。また、第１及び第２縦折曲ライン４１，４２に沿って折曲しない、すなわち第１及び第２折曲側部６１，６２を有しない構成であってもよい。
【００４０】
以上に記載した本発明に関する開示は、少なくとも下記事項に整理することができる。
【００４１】
互いに直交する長手方向Ｙ及び幅方向Ｘと、内面及びその反対側の外面とを有し、内面側に位置し、液透過性を有する表面シート３１と、外面側に位置し、不透液性を有する裏面シート３２と、表裏面シート３１，３２間に介在された吸収体３３とを備える吸収シャーシ１１と、着用時において吸収シャーシ１１を着脱可能に止着するための係止手段１２とを含む愛玩動物用のおむつ１０において、吸収シャーシ１１は、長手方向Ｙにおいて離間して幅方向Ｘに延びる第１端縁１３及び第２端縁１４と、吸収体３３の位置する吸収域２１と、吸収域２１から第１端縁１３まで延びる第１非吸収域２２と、吸収域２１から第２端縁１４まで延びる第２非吸収域２３とを有し、係止手段１２は、第１非吸収域２２における外面に配置され、吸収シャーシ１１が、少なくとも第１非吸収域２２の内面と第２非吸収域２３の内面とが対向するように折曲された折曲状態において、第１非吸収域２２を除く吸収シャーシ１１の外面に係脱可能に係止されて前記折曲状態を維持する。
【００４２】
おむつ１０を複数収容する包装体１８において、吸収シャーシ１１は、吸収域２１において幅方向Ｘへ延びる第１横折曲ライン４３に沿って第１非吸収域２２と第２非吸収域２３の内面が互いに当接するように折曲され、該折曲された状態において、第１非吸収域２２と第２非吸収域２３とが重なる第１積層部分８１において幅方向Ｘへ延びる第２横折曲ライン４４に沿って折曲され、おむつ１０は、係止手段１２を介して第１及び第２横折曲ライン４３，４４による前記折曲状態が維持されており、係止手段１２が他のおむつ１０に係止されない。
【００４３】
上記段落００４１及び００４２に開示した本発明は、少なくとも下記の実施の形態を含むことができる。該実施の形態は、分離して又は互いに組み合わせて採択することができる。
（１）吸収シャーシ１１は、幅方向Ｘへ延びる複数条の横折曲ライン４３，４４に沿って折曲される。
（２）吸収シャーシ１１は、幅方向Ｘにおいて離間して長手方向Ｙに延びる一対の縦折曲ライン４１，４２と、縦折曲ライン４１，４２に沿って内面側へ折り曲げられた一対の折曲側部６１，６２とを有し、少なくとも一方の折曲側部６１において、係止手段１２の一部が縦折曲ライン４１よりも幅方向Ｘの外側に延在している。
（３）折曲側部６１は、長手方向Ｙにおける両端部６１Ａ，６１Ｂのうちの少なくとも一方の端部６１Ａにおける幅方向Ｘの寸法が、両端部６１Ａ，６１Ｂの間に位置する中間部６１Ｃにおける幅方向Ｘの寸法よりも大きい。
（４）吸収域２１において幅方向Ｘへ延びる第１横折曲ライン４３と、第１非吸収域２２及び／又は第２非吸収域２３において幅方向Ｘへ延びる第２横折曲ライン４４とに沿って折曲される。
（５）係止手段１２の幅方向Ｘの寸法Ｗ３は、吸収体３３の幅方向Ｘの寸法Ｗ２よりも大きく、係止手段１２の長手方向Ｙの寸法Ｌ３は、係止手段１２から第１端縁１３までの間に位置する部分の長手方向Ｙの寸法Ｌ４よりも大きい。
（６）吸収体３３の長手方向Ｙの寸法Ｌ２は、吸収シャーシ１１の長手方向Ｙの寸法Ｌ１の５０％以下である。
【符号の説明】
【００４４】
１０    おむつ（吸収性物品）
１１    吸収シャーシ
１２    係止手段
１８    包装体
１９    包装袋
２１    吸収域
２２    第１非吸収域
２３    第２非吸収域
３１    表面シート
３２    裏面シート
３３    吸収体
４１    第１縦折曲ライン（縦折曲ライン）
４２    第２縦折曲ライン（縦折曲ライン）
４３    第１横折曲ライン（横折曲ライン）
４４    第２横折曲ライン（横折曲ライン）
６１    第１折曲側部（折曲側部）
６２    第２折曲側部（折曲側部）
８１    第１積層部分（積層部分）
８２    第２積層部分
【要約】
【課題】折曲状態において係止手段が露出することのない愛玩動物用の吸収性物品およびその包装体の提供。
【解決手段】吸収シャーシ（１１）と、前記吸収シャーシを着脱可能に止着するための係止手段（１２）とを含む愛玩動物用の吸収性物品（１０）において、前記吸収シャーシは、吸収体（３３）の位置する吸収域（２１）と、前記吸収域から第１端縁（１３）まで延びる第１非吸収域（２２）と、前記吸収域から第２端縁（１４）まで延びる第２非吸収域（２３）とを有し、前記係止手段は、前記第１非吸収域における外面に配置され、前記吸収シャーシが、少なくとも前記第１非吸収域の内面と前記第２非吸収域の内面とが対向するように折曲された折曲状態において、前記第１非吸収域を除く前記吸収シャーシの外面に係脱可能に係止されて前記折曲状態を維持する。
【選択図】図１【図１】
0005602973.tif 000002
【図２】
0005602973.tif 000003
【図３】
0005602973.tif 000004
【図４】
0005602973.tif 000005
【図５】
0005602973.tif 000006
【図６】
0005602973.tif 000007
【図７】
0005602973.tif 000008
【図８】
0005602973.tif 000009
【図９】
0005602973.tif 000010
【図１０】
0005602973.tif 000011
【図１１】
0005602973.tif 000012
【図１２】
0005602973.tif 000013
【図１３】
0005602973.tif 000014